(57)【特許請求の範囲】
【請求項１】
円柱体状のコアと平面的に敷ならされた粒状コアとの2種の性状の異なるコアよりなるボーリングコアを所定の画像処理手段で電子データ化するとともに、各種の物性観察を行ない、該各種の物性観察結果とともに同電子データ化したボーリングコアデータを画像再生手段により再生可能な所定の記録手段に記録した上で納品または保管するようにしてなるボーリングコアの電子化システムであって、選択および登録が可能な地域・地区別または地質構造帯別に区分して作成された複数の電子的なコア箱整理棚および該複数の電子的なコア箱整理棚に整理される調査目的に応じて必要なコア数に対応して作成された複数の電子コア箱を有し、当該地質調査における調査地域・地区または地質構造帯に対応して該当する上記コア箱整理棚の選択および登録を行うとともに、当該地質調査の調査目的に応じて必要なコア数に対応して必要なコア箱数を登録し、それらを前提として最終的な電子コア箱を作成するようになっている一方、上記所定の画像処理手段が、上記コアの性状の相違に対応できるように、上記円柱体状のボーリングコアの全周面のスキャニングを行う第１のスキャニング手段と上記平面的に敷ならした粒状コアの表面のスキャニングを行う第２のスキャニング手段との２つのスキャニング手段を有して構成されており、上記所定の画像処理手段は、上記処理対象とするボーリングコアが円柱体状のボ−リングコア、または平面的に敷ならされた粒状コアのいずれのコアであるかを判定し、その判定結果に応じて、対応する上記第１のスキャニング手段または上記第２のスキャニング手段を用いて必要な画像を取り込み、所定の形態の画像データに加工した上で所定の記憶手段に読み出し可能な状態で記憶させ、同記憶手段に記憶させた画像データを上記各種の物性観察を行った観察結果の電子データと合わせて上記納品用の所定の記録手段にダウンロードするようになっていることを特徴とするボーリングコアの電子化システム。
【発明の詳細な説明】
【技術分野】
【０００１】
本願発明は、地質調査の一つであるボーリング調査で得られるボーリングコアの電子化システムに関するものである。
【背景技術】
【０００２】
土木構造物あるいは建築構造物を対象として地質調査を行う場合、一般的には地質踏査、物理探査、ボーリング調査、室内土質試験などが行われる。
【０００３】
地質踏査は、現地の露頭で地質状況を肉眼で観察することが基本であり、地層の走向や傾斜から、ある程度地中の地質状況を推定することができる。物理探査は、地表あるいはボーリング孔内から、弾性波や比抵抗などの物理的な手法を用いて地質状況を把握しようとするもので、地盤の工学的なパラメータを求める手法として有効に活用することができる。
【０００４】
しかし、地質踏査は地表という限られた部分でかつ不連続な露頭の観察による情報しか得られないこと、また物理探査は工学的なパラメータとして有効であるが、実際に地中に分布している地質を目で見ることができないという欠点がある。
【０００５】
これに対して、ボーリング調査は、ボーリングサンプラーにより、例えば図９に示すような所定の円柱体状のボーリングコア１０を採取することにより、地中の地質状況を実際に観察することが可能で、同採取コア１０の状況からの岩盤分類、同採取コア１０の室内試験による力学特性の把握、あるいは同採取コア１０（実際には複数本）を用いた地球科学的調査からの地層層序決定など、深部の地質を直接的に調査するための唯一の調査手法として位置づけることができる。
【０００６】
したがって、業務発注者にとって、ボーリングコアは、構造物等の設計・施工の基礎資料として非常に大切なもので、５年〜１０年程度、さらに重要なものであれば、半永久的に保管する必要がある。
【０００７】
特に岩石コアは、長期に保存されて各種室内試験やいろいろな目的で繰り返し観察されることが多い。このため、採取時の状態をできるだけ長く保存することが求められている。
【０００８】
そこで、一般に地質調査業者は、このようなボーリングコア１０，１０・・・を、例えば図１０に示すような木製のコア箱２０に入れて調査業務発注者に納品している。
【０００９】
このコア箱２０は、例えば図示のように、上記ボーリングコア１０，１０・・・が入る所定の深さの箱体２１内を４枚の仕切板２１ａ〜２１ｄで５本の収納スペース２２ａ〜２２ｅに仕切り、それらの各々に各調査地点（調査位置）毎のボーリングコア１０，１０・・・を収納保管できるようにしている。
【００１０】
そして、上記箱体２１の後端側には、ヒンジ部を介して蓋体２３が開閉自在に設けられているとともに、左右両側部には、運搬用の把手２４，２４が設けられている。
【００１１】
これらボーリングコア１０，１０・・・の整理は、一定の規則に基づき、できるだけ簡潔に整理され、見たいときに容易に必要とするコア箱２０内のボーリングコア１０，１０・・・が見られるように整理・整頓されていなければならない。
【００１２】
したがって、一般に上記箱体２１の一側部には、例えば次のような項目および対応する内容が記載されたラベル２５が貼付されている。
【００１３】
工事件名  ×××××
調査位置  ×××  ボーリング番号  Ｎｏ．〇〇
深    度  〇〇ｍ〜〇〇ｍ
標本箱通し番号  〇のうちの〇、会社名×××××
そして、通常、上記コア箱２０内の各ボーリングコア１０，１０・・・の写真が撮られる。
【００１４】
コア１０，１０・・・の写真を撮る場合には、コア箱２０の内容が適切に判別できるようにした記載した黒板、色ずれ判定用の三原色のカラーチャートを用意して、最もコア状況が正確に判定できる状況下で撮影を行う必要がある。必要があれば乾燥したコア１０，１０・・・の表面を濡らすとか、直射日光が当たる場合には日陰で撮影するとかの処置が必要である
コア写真の撮影時には、コア箱２０の面とカメラが直角になる位置から撮影し、撮影された写真においてコア箱２０が台形に変形しないように配置する必要がある（例えば先行技術文献１の記載を参照）。
【先行技術文献】
【非特許文献】
【００１５】
【非特許文献１】「ボーリングポケットブック（第４版）」Ｐ３１５〜３１７  （社）全国地質調査業協会連合会編  平成２２年５月２０日（株）オーム社発行
【発明の概要】
【発明が解決しようとする課題】
【００１６】
ところが、上記従来のコア箱２０は、調査対象地域の調査位置毎に少なくとも１個は必要であり、１件の調査業務だけでも相当数のコア箱が必要となる。しかも、その数は、地質調査業務が発生する度に数が増えていくため、地質調査業者はもちろん、地質調査発注業者にとってもコア倉庫内の保存スペースや古くなったコアおよびコア箱の処分等が問題となっている。
【００１７】
また、現在の倉庫内のコア箱を搬入して保存する保存方法では、再度確認する必要性が生じた場合に、目的とするコア箱を抽出するのに、困難を伴い、また搬出に相当の人手を要するという問題がある。
【００１８】
さらに、上述のようにコア写真を撮る、上述のように蓋の付いたコア箱内に収納されたコアの写真を撮るのは難しく、コア箱面に直角にカメラを固定して撮影することによって適切に撮影できるのは、上方側半周面の中央部所定幅面だけで、棒状コアの中身までは撮影できない。
【００１９】
したがって、そのような写真自体を、調査解析用や再確認用の地質データとして使うには十分とは言い難い。
【００２０】
本願発明は、このような問題を解決するためになされたもので、上述のようなボーリングコアを所定の手段で電子データ化し、調査発注業者に電子納品することができるようにするとともに、管理性良く保管し、また必要に応じて自由に効率良く取り出して利用することができるようにしたボーリングコアの電子化システムを提供することを目的とするものである。
【課題を解決するための手段】
【００２１】
本願発明は、上述の問題を解決するために、次のような有効な課題解決手段を備えて構成されている。
（１）  第１の課題解決手段
この発明の第１の課題解決手段は、円柱体状のコアと平面的に敷ならされた粒状コアとの2種の性状の異なるコアよりなるボーリングコアを所定の画像処理手段で電子データ化するとともに、各種の物性観察を行ない、該各種の物性観察結果とともに同電子データ化したボーリングコアデータを画像再生手段により再生可能な所定の記録手段に記録した上で納品または保管するようにしてなるボーリングコアの電子化システムであって、選択および登録が可能な地域・地区別または地質構造帯別に区分して作成された複数の電子的なコア箱整理棚および該複数の電子的なコア箱整理棚に整理される調査目的に応じて必要なコア数に対応して作成された複数の電子コア箱を有し、当該地質調査における調査地域・地区または地質構造帯に対応して該当する上記コア箱整理棚の選択および登録を行うとともに、当該地質調査の調査目的に応じて必要なコア数に対応して必要なコア箱数を登録し、それらを前提として最終的な電子コア箱を作成するようになっている一方、上記所定の画像処理手段が、上記コアの性状の相違に対応できるように、上記円柱体状のボーリングコアの全周面のスキャニングを行う第１のスキャニング手段と上記平面的に敷ならした粒状コアの表面のスキャニングを行う第２のスキャニング手段との２つのスキャニング手段を有して構成されており、上記所定の画像処理手段は、上記処理対象とするボーリングコアが円柱体状のボ−リングコア、または平面的に敷ならされた粒状コアのいずれのコアであるかを判定し、その判定結果に応じて、対応する上記第１のスキャニング手段または上記第２のスキャニング手段を用いて必要な画像を取り込み、所定の形態の画像データに加工した上で所定の記憶手段に読み出し可能な状態で記憶させ、同記憶手段に記憶させた画像データを上記各種の物性観察を行った観察結果の電子データと合わせて上記納品用の所定の記録手段にダウンロードするようになっていることを特徴としている。
【００２２】
このような構成によると、スキャナー等の撮像手段で読み込んだボーリングコアのコアデータを、例えばパソコン等の画像モニタを備えた電子化処理プロセッサ上で、必要に応じ、展開図と立体画像等で回転させながら、画像として、その全体を観察することも可能になる。
【００２３】
そして、地質調査業者は、上記地質調査データであるボーリングコアデータをＤＶＤ等の所定の記録手段により電子コア箱の形で納品し、一方業務発注者は、当該電子コア箱を多数収納することができる電子コア倉庫で、何ら場所を取ることなく保管することができるようになる。
【００２４】
したがって、ボーリングコアの納品、ボーリングコアの観察、ボーリングコアの保管がきわめて容易かつ効率的となり、これを使って設計するコンサルタント業者を含めて多くの関係者が容易に確認、利用できるようになるとともに、ボーリングコアを収容保存しておくコア倉庫の大幅な縮小化を図ることができる。
【００２５】
しかも、同構成では、あくまでも相互に性状が異なる円柱体状のコアと平面的に敷ならされた粒状コアとの2種のボーリングコアを処理対象としており、上記スキャナー等の画像処理手段で、当該ボーリングコアのコア組成を画像データとして読み込むに際しては、上記円柱体状のコアの全周面のスキャニングを行う第１のスキャニング手段と、例えば最大粒径、礫分、砂分、細粒土分の割合が分かるように平面的に敷ならした粒状コアの表面のスキャニングを行う第２のスキャニング手段との機能の異なる２つのスキャニング手段を有する画像処理手段を用いて適切に画像を取り込むようにしている。したがって、上記コアの性状の相違に応じた適切な画像データを形成することができる。
そして、同適切に形成された画像データを、さらに所定の形態の画像データに加工した上で所定の記憶手段に読み出し可能な状態で記憶させ、同記憶手段に記憶させた画像データを各種の物性観察を行った観察結果の電子データと合わせて、上記ＤＶＤ等納品用の所定の記録手段にダウンロードするようにしている。
したがって、ダウンロードされた画像データは、物性観察を行った観察結果の電子データとともに、例えばパソコン等の画像モニタを備えた電子化処理プロセッサ上で、３次元画像として再構成し、その全体を正確に観察することも容易になる。
【発明の効果】
【００２６】
以上の結果、本願発明のボーリングコアの電子化システムによると、地質調査業者から地質調査発注業者に対して電子倉庫化したボーリングコアの電子納品が可能になる一方、納品された地質調査発注業者は読み出し自由な電子保管が可能となり、必要に応じて再利用することができる。
【００２７】
したがって、地質調査業者はもちろん、地質調査発注業者も共に便利となり、上述した従来の問題を確実に解決することができる。
【図面の簡単な説明】
【００２８】
【図１】本願発明の実施の形態に係るボーリングコアの電子化システムの全体的なシステム構成を示すブロック図である。
【図２】同システムにおける岩石コア全周のスキャン画像を撮影する第１のスキャナーの構成を示す斜視図である。
【図３】同システムにおける土質コアのスキャン画像を撮影する第２のスキャナーの構成を示す斜視図である。
【図４】同システムにおける電子コア箱のイメージ図である。
【図５】同システムの具体的な処理内容を示すフローチャートである。
【図６】同システムにおける岩石コアのスキャン画像の作成方法および作成されたスキャン画像を示すボーリングコアのイメージ図である。
【図７】同システムにおける土質コアのパット敷ならしスキャン画像を示すイメージ図である。
【図８】同システムにおける土質コアの３次元棒状スキャン画像を示すイメージ図である。
【図９】従来一般の地質調査で得られたボーリングコアの構造を示すイメージ図である。
【図１０】同従来のボーリングコアを収納保管するコア箱の構造を示す斜視図である。
【発明を実施するための形態】
【００２９】
図１〜図８は、本願発明の実施の形態に係るボーリングコアの電子化システムの構成と、処理プロセス、処理内容、スキャンニング画像等を示している。
【００３０】
＜システム全体の概要＞
先ず図１のブロック図は、同本願発明の実施の形態におけるボーリングコアの電子化システムの全体的なシステム構成を示すものである。
【００３１】
図１中、先ず符号１は、例えば、液晶ディスプレイ等のカラーモニタ２や、キーボード等の操作ユニット３、さらには書き込み及び読み出し可能なＤＶＤプレーヤ４等を備えたパーソナル・コンピュータによって構成された電子化処理プロセッサである。
【００３２】
この電子化処理プロセッサ１には、さらに後述する安定した棒状の構造をなす岩石コア１０（図９参照）の複数本（５本）に分割された分割片１０ａ〜１０ｅの電子画像（図６の（ａ）〜（ｅ））を撮影する第１スキャナー５と、岩石コア１０のような棒状構造をなしにくい土質コア１０′の電子画像（図７の（ａ），（ｂ））を所定の広さの撮影用透明プレート上に敷きならした上で撮影する第２スキャナー６との２台（又は１台）の大型スキャナーを具備しており、それら第１，第２のスキャナー５，６の撮影画像は、それぞれ画像データとして、上記電子化処理プロセッサ１に入力されるようになっている。
【００３３】
第１スキャナー５は、例えば図２に示すように、本体５ａの左右両側壁部５ｂ，５ｃ部分に、同じ長さで複数本（５本）に分割された岩石コア１０ａ〜１０ｅの直径の半分部分を前後一対のゴムローラにより遊嵌状態で回転自在に支持する一方、それら側壁部５ｂ，５ｃの内の一方側５ｃの外側に設けたベルト等の連係手段で連動する回転駆動機構５ｄにより各々を同期させて３６０°（１回転）又は数分割回転駆動するようになっている。
【００３４】
また、その上方側の開閉自在な蓋５ｅの内側部分には蛍光照明装置および撮像装置が設けられている（詳細および図示は省略）。
【００３５】
そして、図示のように、分割された複数本の岩石コア１０ａ〜１０ｅを上述のように回転駆動可能にセットした状態で、上記蓋５ｅを閉め、上記岩石コア１０ａ〜１０ｅを３６０°（又は分割）回転させるとともに蓋５ｅ側の蛍光照明装置を点灯させ、上記撮像装置を駆動させると、例えば複数本の岩石コア１０ａ〜１０ｅの全周面が順次撮像され、最終的に図６に示すような円柱体状の画像（ａ）〜（ｅ）として、上記カラーモニタ２の画面上に映し出される。
【００３６】
そして、この画像データが、上記ＤＶＤプレーヤ４に入力されて順次記録される。
【００３７】
他方、第２スキャナー６は、上記第１スキャナー５と同様に開閉自在な蓋６ｂと本体６ａとを備え、蓋６ｂの内側に蛍光照明装置と撮像装置（詳細および図示を省略）を具備して構成されているが、本体６ａ側上面には土質コア１０′載置用のガラス面６ｄが設けられている。
【００３８】
そして、この土質コア載置用のガラス面６ｄ上に、土質コア１０′を所定の長さ及び所定の幅でフラットに敷きならした透明プレート６ｅが交換可能に載置される。
【００３９】
透明プレート６ｅおよび上記本体６ａ側のガラス面６ｄは、上記コアチューブに入った状態の土質コア１０′が上記岩石コア１０と同様に５ｍのものであるとして、この実施形態では、５分割した１ｍの長さ部分をコアチューブ状態のコアの直径の３．１４倍程度に敷きならすことができる左右長さおよび奥行幅寸法のものに形成されている。
【００４０】
そして、撮影に当たっては、そのようにしてコアチューブから抜き出した土質コア１０′を所定の厚さでフラットに敷きならした透明プレート６ｅを本体６ａ側のガラス面６ｄ上にセットして蓋６ｂを閉め、上記蛍光照明装置および撮像装置を駆動して、その平面画像を撮影する。
【００４１】
この場合、上記のように本体６ａ上部のガラス面６ｄの左右方向の寸法（長さ）は、上記規格上の基準であるコアチューブ状態における土質コア１０′の長さ５ｍ部分を１／５に分割した１ｍの長さのものに対応したものとなっており、それを５回撮影する。
【００４２】
そして、この２回撮影した図７の（ａ），（ｂ）に示す２つの平面画像を後で上下方向に接続一体化し、ロール状に３Ｄ化して、最終的に図８に示すような円柱体形状のコア画像１０′とする。
【００４３】
また、図１中の符号７ａは、例えばジオドクター型等の電子聴診器であり、分析対象となるボーリングコア１０に所定の打撃を与えた時の打撃音を拾って上述の電子化処理プロセッサ１に音声データとして入力し、電子化処理プロセッサ１上で打撃音を再生し、またカラーモニタ２上に音声波形をグラフ表示し、その周波数解析で岩の硬軟判定を可能とする。
【００４４】
また符号７ｂは、モース硬度試験機であり、上記対象となるボーリングコア１０のモース硬度値を測定して、上記電子化処理プロセッサ１に入力する。
【００４５】
また符号７ｃは、ショアー硬度試験機であり、上記対象となるボーリングコア１０のショアー反発硬度値を測定して、上記電子化処理プロセッサ１に入力する。
【００４６】
また符号７ｄは、水中重量測定器であり、対象となるボーリングコアの礫部分の比重や吸水率等を測定して、上記電子化処理プロセッサ１に入力する。
【００４７】
また、符号７ｅは、強度試験機であり、例えば対象となるボーリングコアの一軸圧縮強度および三軸圧縮強度を試験して、その結果を上記電子化処理プロセッサ１に入力する。
【００４８】
さらに、符号７ｆは、以上の各種オプションデータに加えて、例えば地層の見分け方、地質の時代区分、土質見本写真、岩石見本写真、主要造岩鉱物の薄片顕微鏡写真等の参考資料を付属データとして電子化処理プロセッサ１に入力する参考資料データ供給部である。
【００４９】
次に、図５は、上述のようにして得られるボーリングサンプルである「ボーリングコア」１０，１０′の組成および特性を電子データ化し、地質データとしてＤＶＤ等所定の保存手段に保存する地質データ電子化システム「電子コア倉庫」の構成および内容を示すフローチャートであり、以下、その内容について、詳細に説明する。
【００５０】
すなわち、先ず同電子化システムの運用開始に際し、当該「電子コア倉庫」へ入室するための必要なユーザー登録（使用契約）を行う（ステップＳ１）。次に同ユーザー登録が完了したことが判定されると、次にコア箱の整理として、今回の対象となる地質調査地域・地区・地質構造帯を入力する。すると、日本全国の地域・地区別又は日本全国地質構造帯別に区分して設けられているコア箱整理棚ＮＯ１〜ＮＯｎの内の該当する整理棚ＮＯｘが選択され、登録される（ステップＳ２）。
【００５１】
次に同整理棚の登録が完了すると、今度は当該ボーリング調査の目的（業務名）と同目的に応じた必要なコア数に対応して必要なコア箱数（１つのコア箱中に１つのコアを収納するため、全体として何個のコア箱が必要か）Ｎを登録する（ステップＳ３）。
【００５２】
そして、必要な上記コア箱数Ｎの登録が完了すると、今度は図４に示すような電子コア箱（イメージ）３０の作成作業に入る（ステップＳ４）。
【００５３】
この電子コア箱３０の作成は、上記地域・地点毎にＮＯを付けて登録されたコア箱の当該ＮＯ毎に行われる。この電子コア箱３０は、上記必要な数Ｎのコア箱３０ａ〜３０ｆを上下方向に集合させたものとなっている。
【００５４】
以上のようにして、電子コア箱３０の作成が終了すると、続いて、具体的に岩石コア１０又は土質コア１０′の電子化作業に入る。
【００５５】
ここでは、先ず最初に当該電子化作業が岩石コア１０の電子化作業であるか、土質コア１０′の電子化作業であるかを判定する（ステップＳ５）。
【００５６】
その結果、今回の電子化作業が岩石コア１０の電子化作業であると判定された場合には、先ずステップＳ６で岩石コアの電子化作業に入り、上述したコアチューブから棒状の岩石コア１０を取り出し、撮像手段である第１のスキャナー５（図２参照）にかける。そして、続くステップＳ７で、上述した棒状コア分割スキャン法あるいは回転スキャン法を用いてスキャニングする。
【００５７】
ここで使用される第１のスキャナー５は、上述のように、複数本に分割した各棒状の岩石コア１０ａ〜１０ｅを所定分割回転角毎にあるいは低い回転速度で連続的に１回転分回転させながら、その全周面を高精度に撮影することができるようになっており、例えば上記コアチューブから取り出した撮影対象となる棒状の岩石コア１０が５ｍ程度のものであった場合、上端側から１ｍ毎に分割して５本分同時に撮影し、湾曲部は画像処理により修正し、それら各々の画像データを所定の記憶手段に順次第１〜第５の展開画像としてメモリする。
【００５８】
次に、上記所定の記憶手段にメモリされている第１〜第５の展開画像を順次接続することによって１枚の（５ｍ分の）展開図を作成するとともに深度方向の連続コア化を図る（ステップＳ８）。
【００５９】
さらに、それに続いて上記１枚の展開画像を３６０°ローリングすることによって、最終的に図６の１０に示す円柱体状の３次元画像を形成する（ステップＳ９）。
【００６０】
ここでの展開画像および３次元画像は、それらの何れをも必要に応じてパソコンで読み出し、モニターできる形でメモリされる。
【００６１】
その後、当該岩石コア１０に対する地質鑑定を行なった鑑定結果の報告書を折り込み、３次元画像化してメモリする（ステップＳ１０）。
【００６２】
さらに、当該岩石コア１０の部分的に弱部（例えば破砕帯やシームなど）がある場合には、同弱部の拡大画像も作成して添付する（ステップＳ１１）。
【００６３】
そして、最後に、各種物性観察結果を集めて、それらの各々を電子化する（ステップＳ１２）。
【００６４】
ここで言う各種物性観察結果としては、例えば次のようなものが採用される。
【００６５】
（１）  柱状図
調査報告書として作成された柱状図
（２）  打撃音の電子化
ジオドクター電子聴診器の利用によりにより、パソコン上で打撃音を再生させ、またグラフ表示、周波数解析を行う。  
【００６６】
（３）  モース硬度値の電子化
モース硬度試験のモース硬度値により、硬度を示す
（４）  ショアー反発硬度の電子化
ショアー反発硬度硬度試験のショアー反発硬度値により硬度を示す
（５）  岩の物理的性質の電子化
礫の比重（水中重量の測定）、吸水率試験の結果等を示す
（６）  岩の力学的性質試験結果の電子化
一軸圧縮強度および三軸圧縮強度試験等の結果を示す
（７）  その他参考資料集
・地層の見分け方
・地質の時代区分
・主要造岩鉱物の薄片顕微鏡写真など
その上で、最後に、上記実際に処理したコア箱の数ｎをチェックし、上記設定値Ｎだけの処理が完了しているか否かを判定する（ステップＳ１３）。その結果、ＹＥＳと判定されると、全てのコア箱数Ｎの電子処理が終了したとして、上記ＤＶＤプレーヤ４を用いて、上記電子コア箱３０に蓄積した各種電子化データを１セットとしてＤＶＤにダウンロードし、電子納品を可能とする（ステップＳ１４）。
【００６７】
他方、上記コアデータ種別の判定（ステップＳ５）で、岩石コア１０ではなく、土質コア１０′であると判定された時は、上記ボーリングコアを粒状又は粉状に砕き、もう１つの撮像手段である第２のスキャナー６にかけて撮像し、電子データ化（画像化）する（ステップＳ１５）。
【００６８】
この場合、この土質コアデータには、レイモンドサンプラー試料（Ｎ値試験試料）の場合とレイモンドサンプラー以外の試料の場合とがある。
【００６９】
そこで、それらの内の何れであるかを先ずステップＳ１６で判定し、例えばレイモンドサンプラー試料である場合には、パット敷ならしスキャン分析法によって、図７の（ａ），（ｂ）に示すような２次元状態および３次元状態のスキャン画像をそれぞれ作成する（ステップＳ１７）。
【００７０】
そして、その上で、当該土質コアの物理・力学試験を行なったデータ（結果）を電子データ化する（ステップＳ１８）。
【００７１】
そして、その後、上記岩石コア１０の場合と同様にコア箱数ｎのチェックを行ない（ステップＳ１３）、全てのコア箱数Ｎの処理が完了したＹＥＳの時は、電子納品可能なように、上記電子データ化された土質コアデータをＤＶＤにダウンロードして作業を終える。
【００７２】
他方、レイモンドサンプラー以外の試料の場合、ステップＳ１９で、それがかく乱（撹乱）可能か否かを判定し、かく乱可能でない場合には、コアチューブから採取した棒状コア１０′をアクリルチューブ等に入れ、透明円筒型棒状スキャン法あるいは分割スキャン法により、回転させながら、当該棒状コアの土質を示す図８のような３次元画像に形成する（ステップＳ２０）。一方、かく乱可能なものは、上述のパット敷ならしスキャン分析法を用いて画像化する。そして、それを図８に示すような３次元画像に形成する（ステップＳ１７）。
【００７３】
その上で、上記同様に当該土質コア１０′の物理・力学試験を行なったデータ（結果）を電子化する（ステップＳ１８）。
【００７４】
そして、その後、上記岩石コア１０の場合と同様にコア箱数ｎのチェックを行ない（ステップＳ１３）、全てのコア箱数Ｎの処理が完了したＹＥＳの時は、電子納品可能なように、上記電子化された土質コアデータをＤＶＤにダウンロードして作業を終える（ステップＳ１４）。
【００７５】
なお、以上の制御フローにおいて、ステップＳ２０の透明円筒型棒状スキャン法あるいは分割スキャン法は、必ずしも採用しなくても良い。
【符号の説明】
【００７６】
１は電子化処理プロセッサ、２はカラーモニタ、３は操作ユニット、４はＤＶＤプレーヤ、５は第１スキャナー、６は第２スキャナー、３０は電子コア箱である。
【図１】
0005479428.tif 000002
【図２】
0005479428.tif 000003
【図３】
0005479428.tif 000004
【図４】
0005479428.tif 000005
【図５】
0005479428.tif 000006
【図６】
0005479428.tif 000007
【図７】
0005479428.tif 000008
【図８】
0005479428.tif 000009
【図９】
0005479428.tif 000010
【図１０】
0005479428.tif 000011